(57)【特許請求の範囲】
【請求項１】
環状の樹脂製チューブ内に銅及び／又は黄銅からなる金属繊維を収納させるとともに、前記チューブの上面側のみに通水孔を設けたことを特徴とする滑り防止具。
【請求項２】
前記金属繊維は、切削法により製造されたものであることを特徴とする請求項１に記載の滑り防止具。
【請求項３】
前記通水孔が、チューブの中心線から前記環状体の外側に偏った位置に設けられていることを特徴とする請求項１又は２に記載の滑り防止具。
【請求項４】
前記環状チューブに、環状体の径を調整する手段が設けられていることを特徴とする請求項１〜３のいずれか１項に記載の滑り防止具。
【請求項５】
前記チューブが、シリコン系樹脂又はフッ素系樹脂からなるか、或いはこれらの樹脂のいずれか１つをその表面に有することを特徴とする請求項１〜４のいずれか１項に記載の滑り防止具。
【発明の詳細な説明】
【技術分野】
【０００１】
本発明は、台所流し台の排水口や風呂場の排水口やトイレの床の排水口等のように、雑菌やカビ等の代謝物により滑りや悪臭が発生する箇所に設け、滑りの発生を予防したり、あるいは滑りを防除したりするのに有用な滑り防止具に関し、特に、殺菌効果のある金属イオンの効果を利用して、これらの排水口に設置するだけで、簡単に、滑りの発生を予防、あるいは滑りの防除が可能となる、滑り防止具に関する。
【背景技術】
【０００２】
台所流し台や風呂場の排水口の滑りは、水がある状況で細菌が付着し、その細菌が、食材、界面活性剤、石鹸、人の垢等の汚れを栄養源として繁殖することによるものであって、細菌の集団と細菌から分泌される分秘物であることが知られている。
そこで、台所流しや浴室の排水口、或いはゴミ受け内等に付着した滑り、黒ずみ、悪臭、バイ菌等を除去するために、塩素系酸化剤やその他の殺菌剤を、他の成分とともに加圧成形して錠剤となし、これを、プラスチック製のネット又はカゴ状容器に収納し、ヒモ等でゴミ取りカゴ内につり下げて設置することが提案されている（特許文献１など）。
【０００３】
しかしながら、塩素系酸化剤は、（１）その強力な酸化力によりゴミ取りカゴ及び周辺の排水口の材質を劣化・腐食させる、（２）次亜塩素酸ソーダを主剤とする台所用漂白剤やアルカリ性洗剤などのアルカリ性物質および食酢などの酸性物質が接触すると塩素ガスを発生して危険性が大きい、（３）塩素ガスや塩素ガスと食物くず中の窒素分との反応により生成する三塩化窒素等の刺激臭のガスを発生する、等の問題がある。
また、こうした塩素系酸化剤の問題を回避するために、塩素系酸化剤以外の種々の殺菌剤も提案されてはいるが、塩素系酸化剤を有効成分とする滑り取り剤に比べると殺菌力が弱く、滑りや悪臭の防止効果が不充分であるという問題がある。
【０００４】
更に、塩素系酸化剤又はそのほかの殺菌剤のいずれであっても、これらを錠剤として用いた場合には、（１）錠剤が使用中に割れを生じるため流水による流失が早いこと、（２）熱湯を使用した場合に溶解が早く使用寿命が著しく低下するなどの問題があげられる。また、錠剤を、プラスチック製のネット又はカゴ状容器に収納して、これを排水用ストレーナー内に設置するものであるため、ストレーナーの容量が狭くなる、ストレーナー内に溜まった生ゴミと収納容器との分離に手間がかかる、手が汚れる等の問題があった。
【０００５】
これに対し、特許文献２では、流し台の排水口のゴム蓋に、該ゴム蓋の上部内側に嵌合自在なリング状の薬剤収納ケースを装着した排水口用滑り取り器が提案されている。このリング状の薬剤収納ケースの内部には、微生物の発育抑制物質を含有する固形物が収納され、ケースの上面蓋部に排水流入孔が、ケース本体の下面に薬剤の溶解液流出孔が、それぞれ設けられている。
しかしながら、お湯を流すと、より多く流れて有効期間が短縮されるという問題は依然として残るばかりでなく、薬剤を用いるものであるため人体には良くなく、薬剤の溶出は自然環境の汚染という観点から望ましいものではない。
【０００６】
一方、こうした薬剤を用いない滑り防止具も幾つか提案されており、例えば、特許文献３では、銅板をメッシュ袋に入れたものを、排水口のゴミ受けかご、コーナーの三角かご等に吊すだけで、銅板から出る銅イオンの働きで、滑り、黒ずみ、悪臭などを防止できるとしている。
しかしながら、銅板から発生する金属イオンを利用するには、水に接している必要があり、単に容器に入れて設置するだけでは、シンクを利用しないときには水が流れないために、銅板の表面が乾いてしまい、金属イオンを常時発生させることはできない。
また、メッシュの袋に入れて、排水口のごみかご（ストレーナー）内やコーナーの三角かご内に設置するものであり、前記特許文献１に記載されたものと同様の問題がある。
【特許文献１】特開平１０−１５２６９８号公報
【特許文献２】特開２０００―１４４８４０号公報
【特許文献３】登録実用新案第３０６５５６３号公報
【発明の開示】
【発明が解決しようとする課題】
【０００７】
以上のとおり、従来の抗菌剤等の薬剤を用いたものは、たとえ非塩素系のものであっても、自然環境の汚染という観点からは好ましいものとはいえないばかりでなく、薬剤の溶解液を用いるものであるために、使用状況や設置方法によっては、無駄に流出してしまうという問題がある。
また、特許文献２のごとく、薬剤の溶解液の効率的な流出を考慮した薬剤収納ケースも提案されているが、該薬剤収納ケースは、ゴム蓋の上部内側に嵌合するようにされているため、排水口のゴム蓋の大きさ或いは形状に応じて、種々の薬剤収納ケースを必要とするという問題がある。
さらに、薬剤以外に、銅板から発生する銅イオンを用いることも提案されているが、その収納手段は、従来の薬剤を用いる場合と異なるものではなく、しかも、銅イオンを常時発生しうるものではない。
【０００８】
本発明は、以上のような事情に鑑みてなされたものであって、人体及び自然環境に悪影響を与えることなく、しかも、簡単に排水口等に設置するだけで排水などから発生する滑りの付着を防止することができる、安全性や取り扱い性に優れた滑り防止具を提供することを目的とするものである。また、本発明は、設置場所が限定されない、汎用な滑り防止具を提供することを目的とするものでもある。
【課題を解決するための手段】
【０００９】
銅、黄銅などの金属は、水と接触して、銅イオン、亜鉛イオンを発生し、雑菌類の繁殖を抑制する効果があることは知られている。
しかし、この金属イオンの発生を排水口の滑り防止に利用することを考慮した場合、金属イオンの発生は、常時水に接する環境を実現しなければ高効果を発揮しないため、単純に金属を流し口に置くだけでは、短時間で表面が乾き、常時金属イオンの効果を期待することはできないという問題がある。
本発明者は、該知見に基づき、さらに検討した結果、銅及び／又は黄銅からなる金属繊維又は金属粉を、通水孔を設けた環状の樹脂製チューブ内に収納することで、該環状チューブを排水口に設置しておくだけという簡単な方法で、滑りの発生を防止ができることを見いだした。
【００１０】
本発明は、これらの知見に基づいて完成されたものであり、以下の発明を提供するものである。
［１］環状の樹脂製チューブ内に銅及び／又は黄銅からなる金属繊維を収納させるとともに、前記チューブの上面側のみに通水孔を設けたことを特徴とする滑り防止具。
［２］前記繊維状金属は、切削法により製造されたものであることを特徴とする［１］に記載の滑り防止具。
［３］前記通水孔が、チューブの中心線から前記環状体の外側に偏った位置に設けられていることを特徴する［１］又は［２］に記載の滑り防止具。
［４］前記環状チューブに、環状体の径を調整する手段が設けられていることを特徴する［１］〜［３］のいずれかに記載の滑り防止具。
［５］前記チューブが、シリコン系樹脂又はフッ素系樹からなるか、或いはこれらの樹脂のいずれか１つをその表面に有するものあることを特徴とする［１］〜［４］のいずれかに記載の滑り防止具。
【発明の効果】
【００１１】
本発明によれば、簡単に排水口の上部に設置するだけで滑りの発生を防止でき、取り扱い性に優れた滑り防止具を提供できる。また、本発明の滑り防止具は、金属イオンによる殺菌力或いは抗菌力を用いるものであって、従来のように、水に溶ける薬剤を用いるものでないので、本発明により、安全性に優れた、人体及び自然環境に優しい滑り防止具を提供できる。しかも、本発明の滑り防止具は、その構造から、水を溜めておく機能を有しているので、シンクを使用していない時でも、常時金属オンを発生して、滑りの発生を防止することが可能である。さらに、本発明は、環状体の直径を調整する機能を有しているので、台所及び浴室の排水口の大きさに合わせて自由にその直径を変えることが可能であり、設置場所に限られない、汎用な滑り防止具を提供することができるものである。
【発明を実施するための最良の形態】
【００１２】
本発明で用いる金属繊維又は金属粉は、銅、又は銅−亜鉛系の合金である黄銅、或いはこれらの混合物を繊維状又は粉体としたものである。
繊維状の銅及び／又は黄銅は、その平均的な太さが８０μｍ程度のものであって、ゴルフ場・ホテル・レジャー施設・公園などの、貯水用タンク又は池において、アオコ及び悪臭を防止する手段として使用されているものである。これは、繊維状の銅及び／又は銅を、処理すべき水中に没することで溶出される金属イオンによって、貯水タンクや池の水を殺菌処理し、アオコの発生や悪臭の発生を防止するものである。
【００１３】
本発明では、繊維状又は粉体状の銅及び／又は黄銅が、家庭用の排水口やゴミ取りに発生する滑りの発生を防止する効果を有していることを確認するとともに、繊維状又は粉体状の銅及び／又は黄銅を、環状の樹脂製チューブに収納して、家庭用の排水口やゴミ取りに設置できるようにすることにより、「滑り防止具」としての使用を可能にしたものである。
すなわち、本発明は、チューブ内で少量の水を使って高濃度のイオン溶出が可能となることを見いだしたことによるものであり、本発明者の実験によれば、１．２ｇの黄銅からなる金属繊維をチューブ内に収納した場合、１２時間後には、チューブ内の約１０ｍｌの水に、銅０．８６ｍｇ／Ｌ、亜鉛１０ｍｇ／Ｌの濃度で溶出されることが判明している。
【００１４】
図１は、本発明の滑り防止具の実施態様の１つを模式的に示すものであって、図中、１は、滑り防止具、１１は、樹脂製チューブ、１２は、繊維状の銅及び／又は黄銅、１３は、通水孔、１４は、接続具、を示している。
図１に示すとおり、本発明の滑り防止具１は、樹脂製のチューブ１１内に、前記繊維状の銅及び／又は黄銅１２を収納するとともに、該チューブを環状にしたものである。
本発明の滑り防止具は、このように環状に形成されているので、台所や浴室等の排水口のゴム蓋の上に設置するだけでよい。
図２は、本発明の滑り防止具を、拝水口のゴム蓋の上に設置した様子を模式的に示す図であって、図中、１は、本発明の滑り防止具、２は、ゴム蓋、３は、ストレーナー、４は、流し口内部の蓋、を示している。
【００１５】
上記樹脂製チューブ内に収納される銅及び／又は黄銅は、繊維状又は粉体状のものを用いて、水との接触面積を大きくものしたものが用いられる。
金属繊維を製造する方法としては、線引加工法、切削加工法、溶融紡糸法などがあるが、本発明において好ましい方法は、表面積の大きくとれる切削法である。すなわち、該切削法により製造された金属繊維の表面は、細かい鋸歯形状に加工されており、表面積が大きいものとなっているので、水と接する面積が増加し、効率よくイオン化する結果となる。
【００１６】
また、金属粉を用いる場合は、繊維状のものを用いる場合と比較して、更にイオンを溶出しやすくなり、高濃度のイオン水が得られる。
本発明において、粉体状の銅及び／又は黄銅は、その形状や大きさ、或いはその製造方法は特に限定されることなく、種々のものを用いることができるが、上記の金属繊維を、更に細かく切断或いは粉砕したものを用いることが好ましい。
また、金属粉を用いる場合には、使用中に樹脂製チューブの外に出てしまわないように、例えば、不織布、紙などの袋状のものに入れるか或いは包む、挟む等してから、チューブ内に収納することが望ましい。
【００１７】
前記チューブには、前述のゴム蓋の上に設置した際に、上面となる面に、通水孔が設けられており、該通水孔を介して、排水口に流れ込む水がチューブ内にも流れ込み、且つ、水溜まりができることにより、シンクを使用しない間に金属の表面が乾くことを防ぎ、チューブ内の銅及び／又は黄銅から常時金属イオンを発生させることができる。このように発生した金属イオンは、次に流れ込む水によってあふれ出すことで、排水口全体、及び周辺に、金属イオンが供給される。
このチューブから供給される金属イオンの量は、日常のシンク利用の頻度で付着する滑りを防止するには十分である。
【００１８】
通水孔１３は、図１、２に示すとおり、チューブの中心線から、環状体の外側方向に偏った位置、好ましくは、チューブの中心線より４０〜４５℃程度偏った位置に設けられていることが好ましい。こうすることにより、ゴム蓋から排水口に流れ込む排水が、効率よくチューブ内に入り込み、銅及び／又は黄銅と接して効率的にイオンを発生させる結果となる。
該通水孔は、図１に示すように、複数の連なった孔であっても、或いは、図３の写真にあるように、帯状に設けられた隙間（切欠）であってもよく、それらの形状や大きさは、収納した銅及び／又は黄銅からなる金属繊維又は金属粉が外に出てしまわないものであれば、特に限定されるものではない。
【００１９】
また、本発明においては、図１に示すとおり、環状のチューブを用いるものであるが、該チューブには、環状体の径を調整する手段が設けられていることが好ましい。
すなわち、チューブ両端の接続部に、取り外しが可能で、かつ、チューブとの嵌合部分の深さ（長さ）を調製できるようにした接続具（チューブコネクタ）１４を取り付けてある。
本発明の滑り防止具を排水口のゴム蓋上に設置する際には、その環状体の径が、ゴミ蓋の内周に嵌るように、チューブと接続具の嵌合部分の深さ（長さ）を調製するか、あるいは、長すぎる場合には、該接続具からチューブの一端を外して、排水口のゴム蓋の大きさに合わせてチューブを切断することにより調節し、また、短すぎる場合には、該接続具の長さが長いものを用いて調節する。
本発明においては、こうした調節手段を設けることにより、種々の大きさの排水口に設置できるものであり、台所に限らず、風呂の洗い場や洗面所やトイレなどの排水口にも設置可能である。
また、本発明の滑り防止具は、これらの排水口のゴム蓋上に限られることなく、ゴム蓋とストレーナーとの隙間等にも設置できる。
【００２０】
本発明において、前記チューブを構成する樹脂としては、柔軟性のあるものであれば、特に限定されないが、汚れの付着を少なくできる、或いは付着しても取れ易いことから、前記チューブは、シリコン系樹脂又はフッ素系樹脂からなるもの、或いはこれらの樹脂にいずれかをその表面に有するものが好ましく用いられる。
【００２１】
本発明においては、排水口での使用に適するように環状に形成したが、その結果、他の応用使用も可能であり、例えば、風呂の浴槽内に沈めて用いる、水洗トイレの水槽内に掛けて便器の汚れを防止する、或いは洗濯機の洗濯槽内に入れる等が可能である。
さらに、生け花の花瓶に設置すれば、雑菌の繁殖を防止し、生け花を長持ちさせることができる。
【００２２】
また、形状を大きくしたり或いは複数を連結したりして、広い池や沼に投入した場合には、従来の繊維状金属の配布回収の管理をし易くなり、作業改善できる。
さらに、形状をリングでなく棒状にすることで、加湿器の給水タンクに入れて、滑りの発生も防止でき、また、直接給水タイプの男性用の公衆便所の便器上部に設置するなどの利用が期待できる。
このように、本発明の滑り防止具は、滑りが発生するあらゆる場面での応用が可能である。
さらにまた、本発明の滑り防止具は、チューブに収納する金属繊維又は金属粉を変更することにより、滑り防止以外の目的での応用が可能である。例えば、鉄製の金属繊維又は金属粉を収納して使用すると、鉄イオンを発生させることができ、既知の効果として、植物や海草類の生長促進を期待できる。
【実施例】
【００２３】
以下、本発明を実施例によってさらに具体的に説明するが、本発明はこれら実施例により何ら限定されるものではない。
【００２４】
（滑り防止具の準備）
長さ３４ｃｍ、外径約１０ｍｍ、内径約７ｍｍの市販のビニールチューブに、図３の写真に示すように、帯状の切れ目を入れ、チューブ内に、切削法により繊維状とした市販の黄銅（銅６５％、亜鉛３５％）（ＪＩＳ番号：Ｃ２６８０）（商品名：ブラスウールＢＷ８０）を２ｇ収納した。その後、両端を粘着テープで接続し、環状としたものを滑り防止具として用いた。
図４は、前記図３の写真の滑り防止具を、排水口のゴム蓋の上に設置した状態を撮影した写真である。
【００２５】
（洗浄後の流し口）
図５は、汚れの無い状態の流し口の写真であり、上段左は、流し口全体を、上段右は、ステンレス製ストレーナーの外側を、中段左は、その拡大、下段左は、ゴム蓋の裏側を、下段右は、流し口内部を、それぞれ撮影したものである。
【００２６】
（滑り防止具設置、及び設置１週間後の状況）
図６は、本発明の滑り防止具を設置してから、１週間後の状況を撮影した写真であり、
上段左は、流し口全体を、上段右は、スチール製ストレーナーの表面を、下段左は、ゴム蓋の裏側を、下段右は、流し口内部を、それぞれ撮影した写真である。
これらの写真から明らかなように、スチール製ストレーナーの表面、及びゴム蓋の裏にも、滑りは殆ど付着していないことがわかった。また、流し口内部にも、滑りは殆ど付着していなかった。
指で感触を確かめたところ、若干の滑り感があるものの、軽く水をかけるだけで消失し、図５に示すような、滑りが付着していない状況になった。
この結果、本発明の滑り防止具が、滑り発生の防止効果があるばかりでなく、黒ずみ等の汚れやカビの発生を防止する効果があることを確認した。
【００２７】
また、実施例においては、本発明の滑り防止具による別の効果として、ステンレス製の流し台を使用したことが理由と考えられるが、シンク内に置くステンレス製の食器洗いボールの底や側面にも滑りの付着が抑制されているらしく、食器類の残飯などのゴミ類は、水をかける程度で綺麗になり、且つ底や、側面の滑り感は殆ど感じられなかった。
【００２８】
（比較例）
比較対象のために、本発明の滑り防止具を使用しなかった場合のヌメリの付着状況の確認のため、汚れ度合い進行実験を１週間に亘って行い、その経過を毎日確認した。
なお、比較に使用した排水口は、実施例に用いたと同じ台所の流しの排水口であり、台所の流しの使用状況もほぼ同様とした。
【００２９】
初日：
前の実験で、内部が綺麗であった状態のものを、水で軽く流す程度に軽く洗って実験を開始した。
１日目：
スチール製ストレーナーの外側及び内側には、滑りを目視できるほどでは無かったが、指で滑り感があった。また、流し口内部の蓋、及びゴム蓋の裏側には、僅かに滑りが付着しはじめていることがわかった。
２日目：
２日目は、スチール製ストレーナーの表面に、滑りを目視できる程度に付着が進んでいた。また、指で滑り感はあった。また、流し口内部の蓋でも進み具合がわかった。このときの悪臭もかなり進んでいた。更に、ゴム蓋の裏側も明らかに滑りが付着していた。
３日目：
スチール製ストレーナーの表面で明らかに滑りが付着しており、付着が進行していることがわかった。流し口内部の蓋及びゴム蓋においても、滑りの付着が進んでいることを確認した。このときの悪臭も前日同様であった。
４日目：
スチール製ストレーナー、流し口内部、及びゴム蓋の裏側において、いずれも滑りがかなり付着し、悪臭と汚れがひどかった。
５日目：
スチール製ストレーナー、流し口内部、及びゴム蓋の裏側において、いずれも滑りがかなり目立ち、ストレーナーの表面に付着した滑りも、白色から着色しかかっていた。
６日目：
スチール製ストレーナー、流し口内部、及びゴム蓋の裏側において、いずれも拡大せずとも、滑りと汚れが目視でき、ストレーナーの表面の滑りも盛り上がる状態であった。
【００３０】
１週間後：
図７は、１週間後の流し口を撮影した写真であり、図６の写真と同様に、上段左は、流し口全体を、上段右は、スチール製ストレーナーの表面を、下段左は、ゴム蓋の裏側を、下段右は、流し口内部を、それぞれ撮影した写真である。
それぞれの写真から、表面の滑りが盛り上がっていることが確認できる。
滑りからの悪臭は、前述のとおり、２、３日経過後には発生していたが、１週間後の滑りは、耐えられない程の悪臭を放っており、触りたくない状況であった。
この結果、図７の写真と、前述の図６の写真との比較からも明らかなように、本発明の滑り防止具の滑りの発生を防止する効果が優れたものであることがよくわかった。
【図面の簡単な説明】
【００３１】
【図１】本発明の滑り防止具の概要を模式的に示す図
【図２】本発明の滑り防止具を、拝水口のゴム蓋の上に設置した様子を模式的に示す図
【図３】本発明の滑り防止具の一例を撮影した写真
【図４】図３の滑り防止具を、排水口のゴム蓋の上に設置した状態を撮影した写真
【図５】汚れの無い状態の流し口を撮影した写真
【図６】本発明の滑り防止具を設置してから１週間後経過した後の流し口の状況を撮影した写真
【図７】本発明の滑り防止具を設置せずに１週間経過した後の流し口の状況を撮影した写真
【符号の説明】
【００３２】
１    滑り防止具
１１  樹脂製チューブ
１２  繊維状の銅及び／又は黄銅
１３  通水孔
１４  接続具
２    ゴム蓋
３    ストレーナー
４    流し口内部の蓋
【図１】
0004887339.tif 000002
【図２】
0004887339.tif 000003
【図３】
0004887339.tif 000004
【図４】
0004887339.tif 000005
【図５】
0004887339.tif 000006
【図６】
0004887339.tif 000007
【図７】
0004887339.tif 000008